(57)【要約】      （修正有）【課題】この考案は、土台、ケタの火ウチをプレカット工法でアリの木口に加工する。土台ケタ、火ウチアリ、プレカット固定台を提供する。【解決手段】木造在来住宅の、土台ケタの火ウチをアリのプレカット固定台６に、火ウチ土台ケタ材２をのせて、しめ具４のとっ手３を回して、固定板５ではさんで平行パイプ９と、しめつけボルト棒８で固定し、ストッパー７で、アリプレカット刃１０の位置の４５°に固定して、土台ケタアリ１を作り、もう一方の片方は、下部の台固定具１１をスライスさせながら９０°回して、台ストッパー１２で止めて固定して同用にして、土台ケタアリ１を作る。イ）プレカット固定具６と台固定具１１を９０°回すのに手動でする方法と、ロ）プレカット固定具６と台固定具１１を９０°回すのに、油圧歯車の力をかりて自動でする方法がありますが、ローコストの方を使用する。【選択図】図３
0003116559.tif 000002
【実用新案登録請求の範囲】
【請求項１】
木造住宅の在来工法の土台、ケタの火ウチの両側の仕口をアリのプレカットでキザミをしておさめる。まず、アリプレカット固定台６に、土台ケタアリ火ウチ材２をのせてしめ具４のとっ手３を回して、固定板５ではさんで平行パイプ９と、しめつけボルト棒８で固定しストッパー７でしょ定の位置の４５°にプレカット固定台６を台ストッパー１２で固定し木口をアリプレカット刃１０で土台、ケタ、アリ１を作り、下部の台固定具１１をスベラして９０°回して台ストッパー１２で止めてもう片方の土台、ケタアリ１を同用にして作る。
イ）プレカット固定台６を９０°回すのに手動でする方法。
ロ）プレカット固定台６を９０°回すのに、油圧、歯車の力でする方法。
以上の如く構成された、土台ケタ火ウチアリプレカット固定台。
【考案の詳細な説明】
【考案の詳細な説明】
〔産業上の利用分野〕
【０００１】この考案は在来工法の木造住宅作りの、土台ケタの木口をプレカットでアリの仕口にカットしておさめようとする、土台ケタ火ウチアリ、プレカットに関するものである。
〔従来の技術〕
【０００２】従来、土台ケタの火ウチは４５°に木口を切り、ケタを５分から０分にキッカキしてするか、そのまま４５°に切って、ボルトの穴、座金の穴をドリルであけてボルトナットじめにしていましたが、ボルトの穴をあけるドリルは、なれないと出きず、座金のキッカキもドリルでするのですがなかなかたいへんでした。しかも生木の木をつかえば、かわくとガタガタになってしまっていました。
〔考案が解決しようとする課題点〕
【０００３】本案は、このような欠点を除いて、手間、じくれんをなくし、めんどうなドリル作業をなくしてプレカット工法で火ウチをつくろうとする、土台ケタ火ウチアリ固定台を開発しようとするものである。
〔課題を解決するための手段〕
【０００４】いま、その解決手段を図面に追いながら説明すれば、
木造在来住宅の土台ケタ、火ウチアリのプレカット固定台６に、火ウチ土台ケタ材２をのせて、しめ具４のとっ手３を回して、固定板５ではさんで平行パイプ９と、しめつけボルト棒８で固定し、ストッパー７でアリ、プレカット刃１０の位置の４５°に固定して土台ケタアリ１を作り、もう一方の片方は下部の台固定具１１をスライスさせながら９０°回して、台ストッパー１２で止めて固定して同用にして、土台ケタアリ１を作る。
イ）プレカット固定具６と台固定具１１を９０°回すのに手動でする方法と
ロ）プレカット固定具６と台固定具１１を９０°回すのに油圧、歯車の力をかりて自動でする方法とがあります．手動、自動のコストが安い方を使用する。
〔作用〕
【０００５】本案は、以上のような構造であるから、これを使用する時は、土台ケタアリ１のアリの長さをたてに長く作れば、強度もまし、ボルト、ナット、クギ、もいらなくなります。
〔実施例〕
【０００６】なお、本考案の実施に当たって次の如きことが出きる。
土台ケタ、アリ１の４５°の仕口のアリいがいの部分を丸ノコできってささくれをなくせば、化粧火ウチとしてつかうこともできます。
〔考案の効果〕
【０００７】したがって、じくれんした大工さんのカンで、ボルト穴、座金の穴をドリルであけずにすみ、重労働がなくなり楽になりますし、コストダウンになると思ます。又強度もますと思ます。
【図面の簡単な説明】
【図１】本考案の土台ケタ火ウチ材２の実施上面図
【図２】本考案の上面図（固定台）
【図３】本考案の側面図（固定台）
【符号の説明】
１は土台、ケタアリ
２は土台、ケタ、火ウチ材
３はとっ手
４はしめ具
５は固定板
６はプレカット固定台
７はストッパー
８はしめつけボルト棒
９は平行パイプ
１０はアリ、プレカット刃
１１は台固定具
１２は台ストッパー
【図１】
0003116559.tif 000003
【図２】
0003116559.tif 000004
【図３】
0003116559.tif 000005
【手続補正書】
【提出日】平成16年3月9日(2004.3.9)
【手続補正１】
【補正対象書類名】実用新案登録請求の範囲
【補正対象項目名】全文
【補正方法】変更
【補正の内容】
【実用新案登録請求の範囲】
【請求項１】
イ）木造住宅の在来工法の土台、ケタ火ウチの両側の仕口の土台、ケタアリ１を、作るためのアリプレカット台６を設ける。
ロ）アリプレカット台６の上部に、火ウチ材２をのせて、しめ具４のとっ手３を、回わすと平行パイプ９と、しめつけボルト８と固定板５が同時にしまり、しめつけ、固定される台を設ける。
ハ）アリプレカット台６の火ウチ材２の片側が仕上ったら、もう１つの仕口の土台、ケタアリ１を作るために、固定具１１でスライドさせて回転させて、所定の位置におさめるために、ストッパー７、台ストッパー１２を設ける。
以上の如く構成された、土台、ケタ、火ウチアリプレカット固定台。
【手続補正書】
【提出日】平成16年7月6日(2004.7.6)
【手続補正１】
【補正対象書類名】実用新案登録請求の範囲
【補正対象項目名】全文
【補正方法】変更
【補正の内容】
【実用新案登録請求の範囲】
【請求項１】
イ）プレカット固定台（６）に、土台、ケタ火ウチ材（２）をのせ、しめつけボルト棒（８）、平行パイプ（９）を、しめ具（４）のとっ手（３）を回して、固定板（５）で台のセンターに固定するように設ける。
ロ）プレカット固定台（６）に左側に１８０°回転させるための台固定具（１１）を設ける。
ハ）プレカット固定台（６）を所定の位置に固定するために、ストッパー（７）、台ストッパー（１２）を設ける。
以上の如く構成された、土台、ケタ火ウチアリ、プレカット固定台。
【手続補正書】
【提出日】平成16年7月20日(2004.7.20)
【手続補正１】
【補正対象書類名】実用新案登録請求の範囲
【補正対象項目名】全文
【補正方法】追加
【補正の内容】
【実用新案登録請求の範囲】
【請求項１】
イ）土台ケタ火ウチ、アリ、プレカット固定台（６）に、土台ケタ火ウチ材（２）をのせて、とっ手（３）を回してしめれば固定板（５）によりセンターに、しめつけるしめ具（４）を設ける。
ロ）土台ケタ火ウチアリ、プレカット固定台（６）が、右側（Ａ）の位置から台固定具（１１）により１８０°回転、スライドさせて左側（Ｂ）の位置に固定するためにストッパー（７）、台ストッパー（１２）を設ける。
ハ）土台、ケタ火ウチ、アリ、プレカット固定台（６）は、右側（Ａ）の位置でアリ加工がおわり、１８０°回転、スライドさせて左側（Ｂ）でも、アリ加工がおわれば、そのまま左側（Ｂ）に土台、ケタ火ウチ材（２）をのせて固定してアリ加工を、はじめるよう設ける。
ニ）土台ケタ火ウチアリプレカット固定台（６）、台固定台（１１）を、油圧などで自動でしめたり１８０°回転させたりするよう設ける。
以上の如く構成された、土台ケタ火ウチアリプレカット固定台。
【手続補正２】
【補正対象書類名】明細書
【補正対象項目名】全文
【補正方法】変更
【補正の内容】
「〔全文〕」
0003116559.tif 000006
0003116559.tif 000007
【手続補正３】
【補正対象書類名】図面
【補正対象項目名】全図
【補正方法】変更
【補正の内容】
【図１】
0003116559.tif 000008
【図２】
0003116559.tif 000009
【図３】
0003116559.tif 000010
【手続補正書】
【提出日】平成16年7月30日(2004.7.30)
【手続補正１】
【補正対象書類名】実用新案登録請求の範囲
【補正対象項目名】全文
【補正方法】変更
【補正の内容】
【実用新案登録請求の範囲】
【請求項１】
イ）土台、ケタ、火ウチアリ、プレカット固定台（６）の上部に、土台ケタ、火ウチ材（２）、とっ手（３）、固定板（５）、しめつけボルト棒（８）、平行パイプ（９）からなるセンターにおさまるしめ具（４）を設ける。
ロ）土台ケタ、火ウチアリ、プレカット固定台（６）に、右側（Ａ）位置、左側（Ｂ）位置に台固定具（１）で１８０°回転するよう設け、ストッパー（７）、台ストッパー（１２）を設ける。
ハ）土台ケタ、火ウチアリ、プレカット固定台（６）の上部に、しめ具（４）で固定した土台ケタ、火ウチ材（２）の４５°仕口、土台ケタアリ（１）、仕口機のアリプレカット刃（１０）を設ける。
ニ）土台ケタ、火ウチアリ、プレカット固定台（６）、台固定具（１１）を、油圧、歯車電気モーターなので自動にするよう設ける。
以上の如く構成された土台ケタ火ウチアリ、プレカット固定台。
【手続補正書】
【提出日】平成16年10月29日(2004.10.29)
【手続補正１】
【補正対象書類名】実用新案登録請求の範囲
【補正対象項目名】全文
【補正方法】変更
【補正の内容】
〔書類名〕実用新案登録請求の範囲
〔請求項１〕
イ）土台ケタ火ウチアリプレカット固定台（６）の上部に、土台ケタ火ウチ材（２）、とっ手（３）、固定板（５）、しめつけボルト棒（８）、平行パイプ（９）からなるセンターにおさまるしめ具（４）を設ける。
ロ）土台ケタ火ウチアリプレカット固定台（６）に、右側（Ａ）位置、左側（Ｂ）位置に台固定具（１１）で９０°回転するよう設けストッパー（７）、台ストッパー（１２）を設ける。
ハ）土台ケタ火ウチアリプレカット固定台（６）の上部に、しめ具（４）で固定した土台ケタ火ウチ材（２）の４５°アリ仕口を作るために仕口機にアリプレカット刃（１０）を設ける。
ニ）土台ケタ火ウチアリプレカット固定台（６）と台固定具（１１）を油圧、歯車で自動にするよう設ける。
以上の如く構成された、土台ケタ火ウチアリプレカット固定台。